(57)【要約】【課題】画像処理の処理結果がどのようになるかを明示することを課題とする。【解決手段】画像処理装置は、ジョブ制御部と、作成部と、履歴管理部と、操作表示制御部とを有する。ジョブ制御部は、ジョブに応じた原稿の読み取りを制御する。作成部は、原稿の読み取り結果をもとに、ジョブの処理結果を明示する表示部品を作成する。履歴管理部は、作成された表示部品を、ジョブの設定情報とともに、履歴として記憶装置に登録する。操作表示制御部は、ジョブを選択するアプリケーションを起動する操作を受け付け、表示部品と設定情報とを記憶装置から取得し、ジョブを選択可能な履歴一覧画面の表示を制御する。【選択図】図２
2018157504.tif 000002
【特許請求の範囲】
【請求項１】
ジョブに応じた原稿の読み取りを制御するジョブ制御部と、
原稿の読み取り結果をもとに、前記ジョブの処理結果を明示する表示部品を作成する作成部と、
作成された前記表示部品を、前記ジョブの設定情報とともに、履歴として記憶装置に登録する履歴管理部と、
ジョブを選択するアプリケーションを起動する操作を受け付け、前記表示部品と前記設定情報とを前記記憶装置から取得し、ジョブを選択可能な履歴一覧画面の表示を制御する操作表示制御部と
を有することを特徴とする画像処理装置。
【請求項２】
前記操作表示制御部は、載置された原稿の原稿サイズに応じて、前記履歴一覧画面を更新することを特徴とする請求項１に記載の画像処理装置。
【請求項３】
前記作成部は、原稿サイズ、原稿方向、転写紙サイズ、印刷設定に関する情報を含む原稿の読み取り結果をもとに、前記表示部品を作成することを特徴とする請求項１又は２に記載の画像処理装置。
【請求項４】
ジョブに応じた原稿の読み取りを制御するジョブ制御ステップと、
原稿の読み取り結果をもとに、前記ジョブの処理結果を明示する表示部品を作成する作成ステップと、
作成された前記表示部品を、前記ジョブの設定情報とともに、履歴として記憶装置に登録する履歴管理ステップと、
ジョブを選択するアプリケーションを起動する操作を受け付け、前記表示部品と前記設定情報とを前記記憶装置から取得し、ジョブを選択可能な履歴一覧画面の表示を制御する操作表示制御ステップと
をコンピュータに実行させるための画像処理プログラム。
【請求項５】
前記操作表示制御ステップは、載置された原稿の原稿サイズに応じて、前記履歴一覧画面を更新することを特徴とする請求項４に記載の画像処理プログラム。
【請求項６】
前記作成ステップは、原稿サイズ、原稿方向、転写紙サイズ、印刷設定に関する情報を含む原稿の読み取り結果をもとに、前記表示部品を作成することを特徴とする請求項４又は５に記載の画像処理プログラム。
【発明の詳細な説明】
【技術分野】
【０００１】
本発明は、画像処理装置及び画像処理プログラムに関する。
【背景技術】
【０００２】
従来、画像処理装置では、タッチパネル上で操作する際に、ユーザが適した機能を選択できるように、画像処理装置の使用履歴やプログラム登録をもとに、おすすめの設定情報を表示する技術がある。
【０００３】
例えば、特許文献１（特開２０１４−２１９７３４号公報）では、一度指定された情報処理の処理条件を登録しておき、登録された処理条件を一覧表示する場合に、処理条件毎に、処理条件に一意に関連付けられたオブジェクト画像を表示する技術が開示されている。
【発明の概要】
【発明が解決しようとする課題】
【０００４】
しかしながら、従来技術は、画像処理の処理結果がどのようになるのかが明確ではない場合があるという問題がある。具体的には、従来技術は、簡素化されたオブジェクト画像や、ユーザ設定された名称等が表示されるだけであるため、画像処理の処理結果がどのようになるのかが明確ではない場合がある。
【０００５】
本発明は、上記に鑑みてなされたものであって、画像処理の処理結果がどのようになるかを明示することを目的とする。
【課題を解決するための手段】
【０００６】
上述した課題を解決し、目的を達成するため、本発明に係る画像処理装置は、ジョブに応じた原稿の読み取りを制御するジョブ制御部と、原稿の読み取り結果をもとに、前記ジョブの処理結果を明示する表示部品を作成する作成部と、作成された前記表示部品を、前記ジョブの設定情報とともに、履歴として記憶装置に登録する履歴管理部と、ジョブを選択するアプリケーションを起動する操作を受け付け、前記表示部品と前記設定情報とを前記記憶装置から取得し、ジョブを選択可能な履歴一覧画面の表示を制御する操作表示制御部とを有する。
【発明の効果】
【０００７】
本発明によれば、画像処理の処理結果がどのようになるかを明示することができるという効果を奏する。
【図面の簡単な説明】
【０００８】
【図１】図１は、実施の形態１に係る画像処理装置のハードウェア構成例を示すブロック図である。
【図２】図２は、実施の形態１に係る画像処理装置の機能構成例を示すブロック図である。
【図３】図３は、実施の形態１に係るアイコン画像の作成例を説明する図である。
【図４Ａ】図４Ａは、実施の形態１に係るアプリケーション起動時の履歴一覧画面の表示例を説明する図である。
【図４Ｂ】図４Ｂは、実施の形態１に係るアプリケーション起動時の履歴一覧画面の表示例を説明する図である。
【図５Ａ】図５Ａは、実施の形態１に係るＬＥＦで原稿セットされた後の履歴一覧画面の表示例を説明する図である。
【図５Ｂ】図５Ｂは、実施の形態１に係るＳＥＦで原稿セットされた後の履歴一覧画面の表示例を説明する図である。
【図６】図６は、実施の形態１に係るアイコン作成処理の流れの例を示すシーケンス図である。
【図７】図７は、実施の形態１に係るアイコン表示処理の流れの例を示すシーケンス図である。
【図８】図８は、実施の形態１に係る原稿セット状況に応じたアイコン表示処理の流れの例を示すフローチャートである。
【発明を実施するための形態】
【０００９】
以下に添付図面を参照して、本発明に係る画像処理装置及び画像処理プログラムの実施の形態を説明する。以下の実施の形態により本発明が限定されるものではない。
【００１０】
また、以下の実施の形態では、画像処理装置が複合機（MFP：Multi−Function  Peripheral）である場合を例に挙げて説明するが、これに限定されるものではない。複合機とは、印刷機能、複写機能、スキャナ機能及びファクス機能のうち少なくとも２つの機能を有する装置である。
【００１１】
（実施の形態１）
図１を用いて、実施の形態１に係る画像処理装置１００のハードウェア構成を説明する。図１は、実施の形態１に係る画像処理装置１００のハードウェア構成例を示すブロック図である。
【００１２】
図１に示すように、画像処理装置１００は、ＣＰＵ（Central  Processing  Unit）１２と、ＲＯＭ（Read  Only  Memory）１３と、ＲＡＭ（Random  Access  Memory）１４と、ＨＤＤ（Hard  Disk  Drive）１５とを有する。また、画像処理装置１００は、エンジン１６と、操作パネル１７と、通信Ｉ／Ｆ１８とを有する。上記各部は、システムバス１１を介して相互に接続される。
【００１３】
エンジン１６は、コピー機能、スキャナ機能、ファクス機能及びプリンタ機能等の各種の機能を実行するものであり、これらの機能を実現するための汎用的な情報処理及び通信以外の処理を行なうハードウェアである。例えば、エンジン１６は、原稿を読み取るスキャナ、用紙等のシート材への印刷を行なうプロッタ、ファクス通信を行なうファクス部等を有する。エンジン１６には、さらに、印刷済みシート材を仕分けるフィニッシャや、原稿を自動給送するＡＤＦ（Auto  Document  Feeder）のような特定のオプションを備えることもできる。
【００１４】
ＣＰＵ１２は、画像処理装置１００の動作を統括的に制御する。ＣＰＵ１２は、ＲＡＭ１４を作業領域として、ＲＯＭ１３やＨＤＤ１５等に格納されたプログラムを実行する。これにより、ＣＰＵ１２は、画像処理装置１００全体の動作を制御する。すなわち、ＣＰＵ１２は、エンジン１６に、上述したコピー機能、スキャナ機能、ファクス機能及びプリンタ機能等を実行させる。
【００１５】
操作パネル１７は、ユーザ操作に応じた各種の入力を受け付けるとともに、各種画像（画面）を表示する。本実施の形態では、操作パネル１７が、各種入力の受け付けを行なう受付機能と、各種画像（画面）の表示を行なう表示機能との双方を一体的に備えたタッチパネルである場合を説明するが、これに限定されるものではない。例えば、操作パネル１７は、各種の入力を受け付ける入力装置と、各種情報を表示する表示装置との別体として構成されても良い。
【００１６】
通信Ｉ／Ｆ１８は、ネットワークを介して、外部装置（例えば、クライアント端末等）と通信するためのインタフェースである。
【００１７】
次に、図２を用いて、実施の形態１に係る画像処理装置１００の機能構成を説明する。図２は、実施の形態１に係る画像処理装置１００の機能構成例を示すブロック図である。
【００１８】
図２に示すように、画像処理装置１００は、操作表示制御部１１０と、ジョブ制御部１２０と、履歴管理部１３０とを有する。上記各部は、これらの一部又は全てがハードウェアにより実現されても良いし、ソフトウェア（プログラム）により実現されても良い。例えば、上記各部は、ＩＣ（Integrated  Circuit）やＡＳＩＣ（Application  Specific  Integrated  Circuit）等のハードウェアとして実現できる。また、例えば、上記各部は、ＣＰＵ１２がＲＯＭ１３等に記憶されたプログラムをＲＡＭ１４上で実行することにより、ソフトウェアとして実現できる。
【００１９】
操作表示制御部１１０は、操作パネル１７に対する各種制御を実行する。より具体的には、操作表示制御部１１０は、操作パネル１７に対するユーザ操作に応じて入力された各種情報を受け付ける。例えば、操作表示制御部１１０は、操作パネル１７に対するユーザ操作により、ジョブの開始指示やジョブの設定情報を受け付ける。操作表示制御部１１０は、ジョブの開始指示をジョブ制御部１２０に依頼する。ジョブは、例えば、印刷ジョブである。かかる操作表示制御部１１０は、「操作表示制御部」に対応する。
【００２０】
また、操作表示制御部１１０は、操作パネル１７に対する各種情報の出力を制御する。例えば、操作表示制御部１１０は、ジョブの実行による処理経過や処理結果、その他の各種情報の操作パネル１７に対する表示を制御する。かかる操作表示制御部１１０は、「操作表示制御部」に対応する。
【００２１】
また、操作パネル１７に対する各種情報の出力制御に関し、操作表示制御部１１０は、ジョブの処理結果を明示する表示部品（例えば、アイコン画像等）を作成する。かかる操作表示制御部１１０は、「作成部」に対応する。例えば、操作表示制御部１１０は、エンジン１６によるスキャナ機能の実行に応じた原稿の読み取り結果をもとに、上述したアイコン画像を作成する。エンジン１６によるスキャナ機能の実行は、ジョブ制御部１２０による制御により実現する。例を挙げると、操作表示制御部１１０は、ジョブ制御部１２０による制御によりスキャナ機能を実行したエンジン１６から、原稿サイズ、原稿方向、転写紙サイズ、印刷設定（例えば、「集約（２ｉｎ１）」）等の原稿の読み取り結果を取得し、ジョブの処理結果を明示するアイコン画像を作成する。操作表示制御部１１０は、ジョブの設定情報と、作成したアイコン画像とを、履歴管理部１３０に対して出力する。
【００２２】
操作表示制御部１１０によって作成されたアイコン画像は、ジョブを選択するためのアプリケーションの起動に応じて使用される。例えば、操作表示制御部１１０は、操作パネル１７においてジョブを選択するアプリケーションを起動する操作が受け付けられた場合に、該ジョブに対応する履歴情報（アイコン画像や設定情報等）を取得し、ジョブを選択可能な履歴一覧画面の操作パネル１７に対する表示を制御する。履歴一覧画面には、アイコン画像が含まれている。上述したように、アイコン画像は、ジョブの処理結果を明示できるように、原稿の読み取り結果から作成される。従って、アイコン画像を含む履歴一覧画面を見たユーザは、具体的な処理結果を認識することができる。
【００２３】
また、履歴一覧画面には、例えばコピー対象の原稿が未セットの状態（原稿が載置されていない状態）であれば原稿サイズが不明であるため、原稿サイズの情報を加味せずに対象となる複数のアイコン画像が表示される。このような状況で、操作表示制御部１１０は、原稿がセットされると原稿サイズを取得し、取得した原稿サイズに応じたアイコン画像だけを表示するように、履歴一覧画面を更新する。操作表示制御部１１０は、スキャナ機能を実行するエンジン１６から原稿サイズ（セットされた原稿の原稿サイズ）を取得する。
【００２４】
図３は、実施の形態１に係るアイコン画像の作成例を説明する図である。図３では、用紙の長辺側から給紙する長辺給紙を示すＬＥＦ（Long  Edge  Feed）と、用紙の短辺側から給紙する短辺給紙を示すＳＥＦ（Short  Edge  Feed）とのそれぞれで集約（２ｉｎ１）する場合を例に挙げる。図３に示すように、操作表示制御部１１０は、ＬＥＦやＳＥＦの原稿に対して、変倍率が最大となるように長辺方向を合わせて面付けを行なうこととし、ジョブの処理結果を明示するアイコン画像（集約の結果を示すアイコン画像）を作成する。
【００２５】
ジョブ制御部１２０は、ジョブの実行を制御する。より具体的には、ジョブ制御部１２０は、操作表示制御部１１０によって受け付けられたジョブを、エンジン１６を制御することにより実行する。例えば、ジョブ制御部１２０は、操作表示制御部１１０によってジョブの開始指示やジョブの各種設定情報が受け付けられた場合に、原稿の読み取り開始や印刷の開始等をエンジン１６に対して指示する。
【００２６】
履歴管理部１３０は、ジョブの実行に関する履歴情報を管理する。より具体的には、履歴管理部１３０は、操作表示制御部１１０によって作成されたアイコン画像を、ジョブの設定情報とともに、履歴としてＨＤＤ１５等の記憶装置に登録する。また、履歴管理部１３０は、操作表示制御部１１０からの履歴情報の取得指示に応じて、対応する履歴情報をＨＤＤ１５から取得して、操作表示制御部１１０に応答する。
【００２７】
ここで、図４Ａ及び図４Ｂを用いて、実施の形態１に係るアプリケーション起動時の履歴一覧画面の表示例を説明する。図４Ａ及び図４Ｂは、実施の形態１に係るアプリケーション起動時の履歴一覧画面の表示例を説明する図である。なお、図４Ａでは、集約コピーの履歴を表示する場合を例に挙げる。また、図４Ｂでは、両面コピーの履歴を表示する場合を例に挙げる。
【００２８】
例えば、操作表示制御部１１０は、集約（２ｉｎ１）のジョブを選択するためのアプリケーションの起動を受け付けると、該当するジョブに対応する履歴情報を取得し、図４Ａに示す履歴一覧画面を操作パネル１７に表示させる。ここで、図４Ａでは、原稿が未セットの状況であるため、ＬＥＦでの集約による処理結果と、ＳＥＦでの集約による処理結果とを示すアイコン画像が履歴一覧画面に含まれていることが分かる。
【００２９】
例えば、操作表示制御部１１０は、両面コピーのジョブを選択するためのアプリケーションの起動を受け付けると、該当するジョブに対応する履歴情報を取得し、図４Ｂに示す履歴一覧画面を操作パネル１７に表示させる。ここで、図４Ｂでは、両面コピーに関して、「左右開き」と「上下開き」との何れであるかが不明の状況であるため、両方の処理結果を示すアイコン画像が履歴一覧画面に含まれていることが分かる。ユーザは、「左右開き」のアイコン画像、又は、「上下開き」のアイコン画像の何れかを選択操作する。これにより、画像処理装置１００では、選択されたジョブが実行される。
【００３０】
次に、図５Ａ及び図５Ｂを用いて、実施の形態１に係る原稿セット後の履歴一覧画面の表示例を説明する。図５Ａは、実施の形態１に係るＬＥＦで原稿セットされた後の履歴一覧画面の表示例を説明する図である。図５Ｂは、実施の形態１に係るＳＥＦで原稿セットされた後の履歴一覧画面の表示例を説明する図である。
【００３１】
例えば、操作表示制御部１１０は、図４Ａに示す履歴一覧画面の操作パネル１７に対する表示を制御している状況において、原稿がセットされた場合に、スキャナ機能を実行するエンジン１６からセットされた原稿の原稿サイズを取得する。ここで、原稿がＬＥＦとしてセットされた場合を例に挙げる。そして、操作表示制御部１１０は、図５Ａに示すように、ＬＥＦでの集約による処理結果を明示するアイコン画像を含む履歴一覧画面に更新する。
【００３２】
例えば、操作表示制御部１１０は、図４Ａに示す履歴一覧画面の操作パネル１７に対する表示を制御している状況において、原稿がセットされた場合に、スキャナ機能を実行するエンジン１６からセットされた原稿の原稿サイズを取得する。ここで、原稿がＳＥＦとしてセットされた場合を例に挙げる。そして、操作表示制御部１１０は、図５Ｂに示すように、ＳＥＦでの集約による処理結果を明示するアイコン画像を含む履歴一覧画面に更新する。
【００３３】
次に、図６を用いて、実施の形態１に係るアイコン作成処理の流れを説明する。図６は、実施の形態１に係るアイコン作成処理の流れの例を示すシーケンス図である。
【００３４】
図６に示すように、操作表示制御部１１０は、操作パネル１７に対するユーザ操作により、ジョブ設定と、印刷を開始するためのスタートキーの押下とを受け付ける（ステップＳ１０１〜ステップＳ１０３）。例えば、ジョブ設定は、集約（２ｉｎ１）設定と、ＦＣ（フルカラー）設定とする。そして、操作表示制御部１１０は、ジョブ制御部１２０に対してジョブの開始を依頼する（ステップＳ１０４）。
【００３５】
ジョブ制御部１２０は、操作表示制御部１１０からのジョブ開始の依頼を受けて、スキャナ機能を実行するエンジン１６に対して、原稿の読み取り開始を指示する（ステップＳ１０５）。これにより、エンジン１６は、スキャナ機能を実行して原稿を読み取る。そして、ジョブ制御部１２０は、スキャナ機能を実行して原稿を読み取ったエンジン１６から、原稿の読み取り結果（Ａ４，ＬＥＦ）を取得する（ステップＳ１０６）。ジョブ制御部１２０は、エンジン１６から取得した原稿の読み取り結果を、操作表示制御部１１０に対して出力する（ステップＳ１０７）。
【００３６】
操作表示制御部１１０は、ジョブ制御部１２０から原稿の読み取り結果を取得すると、取得した原稿の読み取り結果から、ジョブの処理結果を明示するアイコン画像を作成する（ステップＳ１０８）。ここで、操作表示制御部１１０は、コピー動作の集約（２ｉｎ１）について原稿方向を加味して、対応するアイコン画像を作成することができる。さらに、操作表示制御部１１０は、原稿方向が縦の場合と横の場合との双方に対してアイコン画像を作成しても良い。そして、操作表示制御部１１０は、作成したアイコン画像と、ジョブの設定情報とを、履歴管理部１３０に対して出力する（ステップＳ１０９）。
【００３７】
履歴管理部１３０は、操作表示制御部１１０から受け付けたアイコン画像と、ジョブの設定情報とを、ＨＤＤ１５に履歴として対応付けて登録する（ステップＳ１１０）。そして、履歴管理部１３０は、ＨＤＤ１５に登録したことを示す登録結果（ＯＫ）を、操作表示制御部１１０に応答する（ステップＳ１１１）。
【００３８】
また、ジョブ制御部１２０は、プロッタ機能を実行するエンジン１６に対して、印刷開始を指示する（ステップＳ１１２）。これにより、プロッタ機能を実行するエンジン１６は、スキャナにより読み取られた原稿の原稿画像を用紙等に印刷する。ジョブ制御部１２０は、エンジン１６から、１ページの処理毎に印刷結果を取得する（ステップＳ１１３）。そして、ジョブ制御部１２０は、印刷結果（１ページ）を操作表示制御部１１０に対して出力する（ステップＳ１１４）。これにより、操作表示制御部１１０は、１ページの処理毎に印刷結果画面の操作パネル１７に対する表示を制御する（ステップＳ１１５）。
【００３９】
その後、ジョブ制御部１２０は、エンジン１６から、印刷が完了したことを示す印刷結果を取得する（ステップＳ１１６）。そして、ジョブ制御部１２０は、印刷結果（印刷完了）を操作表示制御部１１０に対して出力する（ステップＳ１１７）。これにより、操作表示制御部１１０は、ジョブが終了したことを示すジョブ終了画面の操作パネル１７に対する表示を制御する（ステップＳ１１８）。
【００４０】
次に、図７を用いて、実施の形態１に係るアイコン表示処理の流れを説明する。図７は、実施の形態１に係るアイコン表示処理の流れの例を示すシーケンス図である。なお、図７では、アプリケーションの起動時に、原稿がセットされていない場合を例に挙げる。
【００４１】
図７に示すように、操作表示制御部１１０は、コピーを実行するジョブのアプリケーションの起動を、操作パネル１７を介して受け付ける（ステップＳ２０１）。そして、操作表示制御部１１０は、コピーを実行するジョブに対応する履歴一覧の取得を履歴管理部１３０に対して指示する（ステップＳ２０２）。これにより、履歴管理部１３０は、対応する履歴一覧をＨＤＤ１５から取得する（ステップＳ２０３）。そして、履歴管理部１３０は、ＨＤＤ１５から取得した履歴一覧の情報を操作表示制御部１１０に対して応答する（ステップＳ２０４）。
【００４２】
操作表示制御部１１０は、履歴管理部１３０から履歴一覧の情報を取得すると、アイコン画像を含む履歴一覧画面の操作パネル１７に対する表示を制御する（ステップＳ２０５）。ここで、ユーザは、コピー対象の原稿をセットする（ステップＳ２０６）。これにより、ジョブ制御部１２０は、スキャナ機能を実行するエンジン１６から、セットされた原稿の原稿サイズ（原稿情報）を取得する（ステップＳ２０７）。そして、ジョブ制御部１２０は、取得した原稿サイズ（原稿情報）を操作表示制御部１１０に対して出力する（ステップＳ２０８）。操作表示制御部１１０は、取得した原稿サイズに応じたアイコン画像だけを表示するように、履歴一覧画面を更新し、操作パネル１７に対する表示を制御する（ステップＳ２０９）。
【００４３】
次に、図８を用いて、実施の形態１に係る原稿セット状況に応じたアイコン表示処理の流れを説明する。図８は、実施の形態１に係る原稿セット状況に応じたアイコン表示処理の流れの例を示すフローチャートである。
【００４４】
図８に示すように、画像処理装置１００は、原稿がセットされているか否かを判定する（ステップＳ３０１）。例えば、画像処理装置１００は、スキャナ機能を実行するエンジン１６によって原稿が検知されているか否かにより、原稿がセットされているか否かを判定する。このとき、画像処理装置１００は、原稿がセットされている場合に（ステップＳ３０１：Ｙｅｓ）、原稿が縦原稿であるか否かを判定する（ステップＳ３０２）。一方、画像処理装置１００は、原稿がセットされていない場合に（ステップＳ３０１：Ｎｏ）、この時点では縦原稿又は横原稿を使用することを特定できないため、縦原稿及び横原稿のそれぞれでコピーしたときの処理結果を明示する両方のアイコン画像を表示する（ステップＳ３０３）。
【００４５】
また、画像処理装置１００は、原稿が縦原稿である場合に（ステップＳ３０２：Ｙｅｓ）、縦原稿でコピーしたときの処理結果を明示するアイコン画像のみを表示する（ステップＳ３０４）。一方、画像処理装置１００は、原稿が横原稿である場合に（ステップＳ３０２：Ｎｏ）、横原稿でコピーしたときの処理結果を明示するアイコン画像のみを表示する（ステップＳ３０５）。なお、原稿のセット後に、原稿が取り去られた場合は、再度、対応する全てのアイコン画像を含む履歴一覧画面が表示されることになる。
【００４６】
上述したように、画像処理装置１００は、ジョブに応じた原稿の読み取り結果をもとに、ジョブの処理結果を明示するアイコン画像を作成し、作成したアイコン画像と、ジョブの設定情報とを記憶装置に登録し、ジョブを選択するアプリケーションの起動操作が受け付けられた場合に、対応するアイコン画像と設定情報とを記憶装置から取得し、ジョブを選択可能な履歴一覧画面を表示する。この結果、画像処理装置１００は、画像処理の処理結果がどのようになるかを明示することができる。
【００４７】
また、画像処理装置１００は、原稿の未セット時に、対応する全てのアイコン画像を含む履歴一覧画面を表示し、原稿のセット時に、対応するアイコン画像のみを含む履歴一覧画面に更新するので、ユーザが希望する処理結果となるように原稿をセットしているかを、事前に確認させることができる。
【００４８】
また、画像処理装置１００で実行される画像処理プログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記憶されて提供される。また、画像処理装置１００で実行される画像処理プログラムを、インターネット等のネットワークに接続されたコンピュータ上に格納し、ネットワーク経由でダウンロードさせることにより提供するようにしても良い。また、画像処理装置１００で実行される画像処理プログラムを、インターネット等のネットワーク経由で提供又は配布するように構成しても良い。
【００４９】
また、上記文書中や図面中等で示した処理手順、制御手順、具体的名称、各種のデータやパラメータ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。例えば、操作表示制御部１１０を、原稿の読み取り結果をもとに、ジョブの処理結果を明示するアイコン画像を作成する「作成部」と、ジョブを選択可能な履歴一覧画面を表示する「表示制御部」とに分散しても良い。
【符号の説明】
【００５０】
１００  画像処理装置
１１０  操作表示制御部
１２０  ジョブ制御部
１３０  履歴管理部
【先行技術文献】
【特許文献】
【００５１】
【特許文献１】特開２０１４−２１９７３４号公報
【図１】
2018157504.tif 000003
【図２】
2018157504.tif 000004
【図３】
2018157504.tif 000005
【図４Ａ】
2018157504.tif 000006
【図４Ｂ】
2018157504.tif 000007
【図５Ａ】
2018157504.tif 000008
【図５Ｂ】
2018157504.tif 000009
【図６】
2018157504.tif 000010
【図７】
2018157504.tif 000011
【図８】
2018157504.tif 000012